(57)【要約】【課題】半製品の状態で輸送中に、筐体の隔壁上に設けられた絶縁リブが欠けたり、つぶれたりすることがない、回路遮断器を提供する。【解決手段】筐体１を複数極に区分けする隔壁６の上部に設けられた絶縁リブ８と、筐体１に覆着されるカバー２に設けられたリブが互い違いの構造となって、各極間を絶縁する回路遮断器において、その上端が、絶縁リブ８の上端より高い保護リブ９、１０を、筐体１の負荷側端部３０の隔壁６及び筐体１の側壁１ａの少なくとも一方と、筐体１の電源側端部の隔壁６及び筐体１の側壁１ａの少なくとも一方に設ける。なお、保護リブ９、１０を絶縁リブ８より幅広にすることが好ましい。【選択図】図２
2008084563.tif 000002
【特許請求の範囲】
【請求項１】
筐体を複数極に区分けする隔壁の上部に設けられた絶縁リブと、筐体に覆着されるカバーに設けられたリブが互い違いの構造となって、各極間を絶縁する回路遮断器において、その上端が、前記絶縁リブの上端より高い保護リブを、筐体の負荷側端部の前記隔壁及び筐体の側壁の少なくとも一方と、筐体の電源側端部の前記隔壁及び筐体の側壁の少なくとも一方に設けたことを特徴とする回路遮断器。
【請求項２】
保護リブを絶縁リブより幅広にしたことを特徴とする請求項１に記載の回路遮断器。
【請求項３】
保護リブを収納する保護リブ用凹部をカバーに設けたことを特徴とする請求項１〜請求項２のいずれかに記載の回路遮断器。
【発明の詳細な説明】
【技術分野】
【０００１】
本発明は、半製品の状態の回路遮断器の筐体が、輸送中に破損することを防止した回路遮断器に関するものである。
【背景技術】
【０００２】
従来、特許文献１や図１３に示されるように、３極用の回路遮断器の筐体５０には、各極間を絶縁するために、各極間を区分けする隔壁５１が設けられている。この隔壁５１上に設けられた絶縁リブ５２と、筐体５０に覆着されるカバー５３に設けられたリブが互い違いの構造となっていて、各極間の沿面距離を確保し、絶縁している。
【０００３】
図５に示されるように、３極用の回路遮断器の筐体は、半製品の状態で輸送される場合があるが、前述した絶縁リブ５２が、輸送中に欠けたり、つぶれたりするおそれがあった。
【０００４】
そこで、半製品の状態で輸送中に、筐体１の隔壁５１上に設けられた絶縁リブ５２が欠けたり、つぶれたりすることがない、回路遮断器の開発が要望されていた。
【特許文献１】特開平１０−２８３９００号公報
【発明の開示】
【発明が解決しようとする課題】
【０００５】
上記のような課題を解決して、半製品の状態で輸送中に、筐体の隔壁上に設けられた絶縁リブが欠けたり、つぶれたりすることがない、回路遮断器を提供する。
【課題を解決するための手段】
【０００６】
上記課題を解決するためになされた本発明は、筐体を複数極に区分けする隔壁の上部に設けられた絶縁リブと、筐体に覆着されるカバーに設けられたリブが互い違いの構造となって、各極間を絶縁する回路遮断器において、その上端が、前記絶縁リブの上端より高い保護リブを、筐体の負荷側端部の前記隔壁及び筐体の側壁の少なくとも一方と、筐体の電源側端部の前記隔壁及び筐体の側壁の少なくとも一方に設けたことを特徴とするものである。
【０００７】
なお、保護リブを絶縁リブより幅広にすることが好ましい。
【０００８】
また、保護リブを収納する保護リブ用凹部をカバーに設けることが好ましい。
【発明の効果】
【０００９】
その上端が、前記絶縁リブの上端より高い保護リブを、筐体の負荷側端部の前記隔壁及び筐体の側壁の少なくとも一方と、筐体の電源側端部の前記隔壁及び筐体の側壁の少なくとも一方に設けたので、絶縁リブが、輸送中に欠けたり、つぶれたりすることを防止することが可能となる。
【００１０】
保護リブを絶縁リブより幅広にすると、保護リブが破損し難くなる。
【００１１】
保護リブを収納する保護リブ用凹部をカバーに設けると、カバーが筐体に覆着された際に、保護リブが保護リブ用凹部に収納されるので、筐体の輸送中に保護リブが欠けたり、つぶれたりしたとしても、回路遮断器の製品外観を損なうことがない。
【発明を実施するための最良の形態】
【００１２】
以下に、図面を参照しつつ本発明の好ましい実施の形態を示す。
図１は本発明の実施形態を示す回路遮断器の斜視図である。この図１において、１は筐体であり、２は筐体１に覆着されるカバーである。図２に、筐体の斜視図を示す。この図２に示されるように、筐体１は上部が開放した箱形形状をしている。図１に示される実施形態の回路遮断器は３極用の回路遮断器であり、ハンドル５の操作により、単一のリンク機構を介して、可動接触子（図示せず）を回動し、可動接触子の固定接触子（図示せず）に接離することにより開閉する構造となっている。
【００１３】
各極の電路は、それぞれ絶縁される必要がある。そこで、筐体１には各極を区分けする隔壁６が設けられている。実施形態では、隔壁６は筐体１の長手方向を３つに区分けしている。なお、この隔壁６には、遮断装置のクロスバが各極間を横断するように挿通するクロスバ用穴７が設けられている
【００１４】
隔壁６の上部には、隔壁６に沿って絶縁リブ８が設けられている。
【００１５】
図３に、カバー２の裏側の斜視図を示す。この図３に示されるように、カバー２は、下部が開放した箱形形状をしていて、長手方向の長さと、幅方向の長さが、筐体１の長手方向の長さと、幅方向の長さと同一もしくは殆ど同じ長さになっている。
【００１６】
筐体１の側壁１ａの上端の一部には、嵌合突起１ｂが設けられている。この図３に示されるように、カバー２の側壁２ａの下面には、嵌合突起１ｂと嵌合する、嵌合凹部２ｂが凹陥形成されている。カバー２は、嵌合突起１ｂと嵌合凹部２ｂが嵌合して、筐体１に覆着されるようになっている。
【００１７】
図３に示されるように、カバー２の裏面には、各極を区分けする隔壁２ｃが設けられている。この隔壁２ｃは、カバー２の長手方向を３つに区分けしている。この隔壁２ｃの下端には、リブ２ｄが設けられている。カバー２が、筐体１に覆着された状態では、筐体１の絶縁リブ８とカバー２のリブ２ｄが互い違いの構造となって、各極間を絶縁するようになっている。
【００１８】
図４に、筐体１の端部の詳細図斜視図を示す。図１や図４に示されるように、側壁１ａの上端の長手方向の端部には、保護リブ９が突設されている。図２に示される実施形態では、保護リブ９は、側壁１ａの両端に突設されている。この保護リブ９の上端は、絶縁リブ８の上端より高くなっている。また、保護リブ９の幅は、絶縁リブ８の幅より広くなっている。
【００１９】
隔壁６の上端の長手方向の端部には、保護リブ１０が突設されている。図２に示される実施形態では、保護リブ１０は、隔壁６の両端に設けられている。この保護リブ１０の上端は、絶縁リブ８の上端より高くなっている。また、保護リブ１０の幅は、絶縁リブ８の幅より広くなっている。
【００２０】
なお、保護リブ９の上端と保護リブ１０の上端の高さは、同一もしくは殆ど同じ高さとなっている。
【００２１】
なお、本実施形態の筐体１は、保護リブ９、１０が、側壁１ａと隔壁６の両端に突設されているが、保護リブ９、１０が、筐体１の負荷側端部３０の隔壁６及び筐体１の側壁１ａの少なくとも一方と、筐体１の電源側端部３１の前記隔壁及び筐体の側壁の少なくとも一方に設けられている筐体１であっても差し支えない。
【００２２】
図３に示されるように、カバー２の側壁２ａの端部の、保護リブ９に対応する位置には、保護リブ用凹部２ｅが凹陥形成されている。この保護リブ用凹部２ｅは、保護リブ９の外形よりやや大きい形状となっていて、カバー２が筐体１に覆着された場合には、保護リブ９が保護リブ用凹部２ｅに収納されるようになっている。
【００２３】
図５は筐体１の輸送状態の平面図である。図５に示されるように、筐体１は、半製品の状態で、複数に区分けされたパレット２０に収納されて輸送される場合がある。保護リブ９や保護リブ１０の上端は、絶縁リブ８の上端より高くなっているので、輸送中には、保護リブ９や保護リブ１０がパレット２０の壁面に衝突するが、絶縁リブ８がパレット２０の壁面に衝突することはないので、絶縁リブ８が欠けたり、つぶれたりすることはない。また、前述したように、保護リブ９、１０の幅は、絶縁リブ８の幅より広いので、保護リブ９、１０が破損し難くなっている。
【００２４】
筐体１の輸送中に保護リブ９の一部が欠けたり、つぶれたりしたとしても、保護リブ９、１０は絶縁の役割はなく、絶縁上の問題はない。また、図１や図６に示されるように、保護リブ９は保護リブ用凹部２ｅに収納されるので、保護リブ９の欠けや、つぶれが外部から視認されにくく、回路遮断器の製品外観を損なうことがない。
【００２５】
また、同様に保護リブ１０の一部が欠けたり、つぶれたりした場合であっても、保護リブ１０は筐体１の内側に設けられており、また、上部からカバー２が覆着されるので、保護リブ１０の欠けや、つぶれが外部から視認されにくく、回路遮断器の製品外観を損なうことがない。
【００２６】
図３に示されるように、カバー２の負荷側端子３や電源側端子４が位置する部分の内側には、異物の侵入を防止するために、異物侵入防止板１２が突設されている。この異物侵入防止板１２には、回路遮断時に発生するアークガスを速やかに外部に排気するための排気孔１２ａが貫通形成されている。しかし排気孔１２ａを通じて外部から回路遮断器内部に異物が侵入する可能性がある。そこで、排気孔１２ａの外側に、図７に示されるような柔軟で薄いファイバー状のダストバリア１５を、排気孔１２ａの排気側を覆うように取り付けて、回路遮断器内部への異物の侵入を防いでいる。このダストバリア１５の下端は、筐体１に形成された保持溝１６で保持された固定端であるが、上端は自由端であるので、アークガスが発生して回路遮断器内の圧力が高くなると、ダストバリア１５の上端が弾性変形して湾曲し、アークガスは排気孔１２ａから排気されるが、常時は排気孔１２ａを閉塞して異物の侵入を防止するようになっている。
【００２７】
従来では、ダストバリアは、筐体に取り付けてから、カバーを覆着して、ダストバリアを筐体に取り付けていた。しかしながら、この組付方法では、ダストバリアが筐体から突出していることから、カバーを筐体に覆着する際にダストバリアが邪魔になり、カバーを筐体に覆着する際の組付性に問題があった。そこで本実施形態では、このダストバリア１５の回路遮断器への組付を容易にするために、カバー２を筐体１に覆着後に、ダストバリア１５を回路遮断器に組み付けることができるように、ダストバリア１５が組み付けられる保持溝１６の上部に、ダストバリア１５の幅よりも僅かに広い空間の挿入口１７を形成した。また、図２や図８に示されるように、保持溝１６を構成するリブ１６ａの上端は、筐体内部側の角を斜めにカットされた形状としているので、ダストバリア１５をリブ１６の上端の斜面に沿わすようにして、リブ１６に差し込むことにより、ダストバリア１５の筐体１への組付が完了する構造となっている。ダストバリア１５を筐体１に組み付ける際には、ダストバリア１５の弾性により、ダストバリア１５が撓むことにより、ダストバリア１５を筐体１に組み付けることができるが、組付後は図９に示されるように、ダストバリア１５の上端がカバー２の天井２ｆで閉塞されるようになっているので、ダストバリア１５が回路遮断器から脱落することがない。
【００２８】
図１０に示されるように、回路遮断器の裏面には、サブベース２０が取り付けられている。サブベース２０の両端部は、ナット支持部２０ａとなっていて、負荷側端子３や電源側端子４に取り付けられているナット（図示せず）が回路遮断器の裏面側に脱落することを防止している。しかし、配線方法によっては、回路遮断器の裏面から回路遮断器と接続する場合もあり、この場合には、図１１に示されるように、ナット支持部２０ａを除去して、回路遮断器の裏面からスタッドボルトを電源側端子４、負荷側端子３に取付接続し、裏面配線用の回路遮断器とする。ナット支持部２０ａを除去するためには、ナット支持部２０ａとサブベース２０本体を連結している連結部２０ｂを、ニッパー等の切断工具で切断する必要がある。しかしながら、従来の回路遮断器の筐体５０の裏面は、図１２に示されるような形状をしていたため、連結部５５ａを切断するための、切断工具が介入することができる隙間が無く、作業性が悪かった。そこで、本実施形態では、図１１に示されるような、切断工具が介入することができる工具介入凹部１ｃを筐体１の裏面に設け、連結部２０ｂを切断する際に、サブベース２０を回路遮断器から取り外さなくても、連結部２０ｂを切断することができるようにした。
【００２９】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う回路遮断器もまた技術的範囲に包含されるものとして理解されなければならない。
【図面の簡単な説明】
【００３０】
【図１】本発明の実施の形態を示す回路遮断器の斜視図である。
【図２】筐体の斜視図である。
【図３】カバーの裏側の斜視図である。
【図４】筐体端部の拡大斜視図である。
【図５】筐体の輸送状態の平面図である。
【図６】負荷側から見た回路遮断器の斜視図である。
【図７】ダストバリアの斜視図である。
【図８】ダストバリアの筐体への組付の説明図である。
【図９】ダストバリアの筐体への組付の説明図である。
【図１０】回路遮断器の裏面の斜視図である。
【図１１】ナット支持部除去後の回路遮断器の裏面の斜視図である。
【図１２】ナット支持部除去後の従来の回路遮断器の裏面の斜視図である。
【図１３】従来の回路遮断器の筐体の斜視図である。
【符号の説明】
【００３１】
１      筐体
１ａ    側壁
１ｂ    嵌合突起
１ｃ    工具介入凹部
２      カバー
２ａ    側壁
２ｂ    嵌合凹部
２ｃ    隔壁
２ｄ    リブ
２ｅ    保護リブ用凹部
２ｆ    天井
３      負荷側端子
４      電源側端子
５      遮断装置
６      隔壁
７      クロスバ用穴
８      絶縁リブ
９      保護リブ
１０    保護リブ
１２    異物侵入防止板
１２ａ  排気孔
１５    ダストバリア
１６    保持溝
１６ａ  リブ
１７    挿入口
２０    サブベース
２０ａ  ナット支持部
２０ｂ  連結部
３０    筐体の負荷側端部
３１    筐体の電源側端部
５０    筐体
５１    隔壁
５２    リブ
５３    カバー
５５    サブベース
５５ａ  連結部
【図１】
2008084563.tif 000003
【図２】
2008084563.tif 000004
【図３】
2008084563.tif 000005
【図４】
2008084563.tif 000006
【図５】
2008084563.tif 000007
【図６】
2008084563.tif 000008
【図７】
2008084563.tif 000009
【図８】
2008084563.tif 000010
【図９】
2008084563.tif 000011
【図１０】
2008084563.tif 000012
【図１１】
2008084563.tif 000013
【図１２】
2008084563.tif 000014
【図１３】
2008084563.tif 000015